(57)【要約】      （修正有）【課題】つまみ、特にトイレ用つまみを形成するためのステッカーブランク、つまみ、ステッカーロール及び洗浄セットを提供する。【解決手段】つまみ、特にトイレ用つまみを形成するためのステッカーブランク２００は、底面に接着層が設けられた表層を有する。接着層には、初め接着層をカバーしておくための取り外し可能なカバー層が設けられている。ステッカーブランクは、可動物、特に便座組立体につまみを取り付けるための少なくとも１つの結合部２０１Ａ、２０１Ｂと、握り手を提供するための少なくとも１つのつまみ部２０２Ａ、２０２Ｂと、を有する。ステッカーブランクからつまみを形成することにより、コスト面で有利につまみを得ることができる。加えて、厚さが最大１ｍｍの平板形状の可撓性つまみであれば、使用中障害とならない。【選択図】図２Ｂ
0003206228.tif 000002
【実用新案登録請求の範囲】
【請求項１】
つまみ、特にトイレ用つまみを形成するためのステッカーブランク（２００）であって、
前記ステッカーブランクは、底面に接着層が設けられた表層を有し、前記接着層は初め前記接着層をカバーしておくための取り外し可能なカバー層を有し、
前記ステッカーブランクは、前記つまみを可動物、特に便座組立体に取り付けるための少なくとも１つの結合部（２０１）と、握り手を提供するための少なくとも１つのつまみ部（２０２）と、を有することを特徴とするステッカーブランク（２００）。
【請求項２】
前記ステッカーブランクは細長形状で、前記ステッカーブランクの２端に位置する２つの結合部（２０１Ａ、２０１Ｂ）を有し、前記少なくとも１つのつまみ部（２０２）は前記ステッカーブランクの中央位置領域に位置することを特徴とする、請求項１に記載のステッカーブランク（２００）。
【請求項３】
前記ステッカーブランクは、前記ステッカーブランクの中央位置領域に位置する２つのつまみ部（２０２Ａ、２０２Ｂ）を有し、前記２つのつまみ部は折目線（２０６）で互いに結合されていることを特徴とする、請求項１又は２に記載のステッカーブランク（２００）。
【請求項４】
前記ステッカーブランクは細長形状で、長手方向に長手方向軸Ｌ−Ｌを有し、前記折目線（２０６）が前記長手方向軸Ｌ−Ｌに対して横方向Ｄ−Ｄに延在していることを特徴とする、請求項３に記載のステッカーブランク（２００）。
【請求項５】
前記長手方向軸Ｌ−Ｌの周りで左右対称となるように作られることを特徴とする、請求項４に記載のステッカーブランク（２００）。
【請求項６】
中央に位置する横軸Ｄ−Ｄの周りで左右対称となるように作られることを特徴とする、請求項１から５の何れか一項に記載のステッカーブランク（２００）。
【請求項７】
前記つまみの中間ポジションにおける前記ステッカーブランクは、折目線にわたって折り重ねられ、第１結合部が第２結合部のカバー層を、前記第２結合部が前記第１結合部のカバー層をそれぞれ形成するように、前記第１結合部が、分離した中間カバー層なしに前記第２結合部にすぐ隣接していることを特徴とする、請求項６に記載のステッカーブランク（２００）。
【請求項８】
前記結合部（２０１）と前記つまみ部（２０２）との間に位置する移行部折目線（２０７）を有することを特徴とする、請求項１から７の何れか一項に記載のステッカーブランク（２００）。
【請求項９】
前記移行部折目線（２０７）が少なくとも１つのスリット（２０８）を有することを特徴とする、請求項８に記載のステッカーブランク（２００）。
【請求項１０】
前記少なくとも１つのスリット（２０８）が前記移行部折目線（２０７）の中央領域に位置することを特徴とする、請求項９に記載のステッカーブランク（２００）。
【請求項１１】
前記結合部から前記つまみ部への移行部を形成するテーパ部も有することを特徴とする、請求項１から１０の何れか一項に記載のステッカーブランク（２００）。
【請求項１２】
前記つまみ部が親指と人差し指とで掴める把持部を形成するように、前記つまみ部の大きさが最大１０ｃｍ２であり、特には最小２ｃｍ２であることを特徴とする、請求項１から１１の何れか一項に記載のステッカーブランク（２００）。
【請求項１３】
前記結合部が変則的な基体に結合できるように、前記結合部（２０１）が切抜き（２１１）を有することを特徴とする、請求項１から１２の何れか一項に記載のステッカーブランク（２００）。
【請求項１４】
センサー、表示器、又は音源、香気源、若しくは光源等の追加アイテム（３００）を有することを特徴とする、請求項１から１３の何れか一項に記載のステッカーブランク（２００）。
【請求項１５】
回転対称性を有することを特徴とする、請求項１から１４の何れか一項に記載のステッカーブランク（２００）。
【請求項１６】
プラスチックフィルム製の表層（２１２）を有し、特に抗菌性材料を含むことを特徴とする、請求項１から１５の何れか一項に記載のステッカーブランク（２００）。
【請求項１７】
前記表層が蛍光材料を含むことを特徴とする、請求項１から１６の何れか一項に記載のステッカーブランク（２００）。
【請求項１８】
前記つまみ貼付後に前記つまみを対象物から引き剥がすために引き剥がしリップが形成されるように、前記表層の前記底面の周縁部には接着層が付与されていないことを特徴とする、請求項１から１７の何れか一項に記載のステッカーブランク（２００）。
【請求項１９】
前記引き剥がしリップは、グリップを提供するための粗い表面を有することを特徴とする、請求項１８に記載のステッカーブランク（２００）。
【請求項２０】
前記ステッカーブランクは、前記接着層に隣接するように接触層として形成される底面及び上面を有する１枚の両面カバー層（２１３）を有し、前記１枚のカバー層は、前記つまみが折り合わされた状態において、前記２つの結合部の間に配置され、且つ前記結合部それぞれの前記接着層を前記カバー層（２１３）の底面及び上面で保護することを特徴とする、請求項１から１９の何れか一項に記載のステッカーブランク（２００）。
【請求項２１】
前記カバー層（２１３）のリップ部が、前記ステッカーブランクを引き開くために、前記結合部（２０１Ａ、２０１Ｂ）の外輪郭を越えて延在することを特徴とする、請求項２０に記載のステッカーブランク（２００）。
【請求項２２】
前記ステッカーブランクを折り曲げてつまみとするための案内に用いる説示を特に有することを特徴とする、請求項１から２１の何れか一項に記載のステッカーブランク（２００）から形成可能なつまみ。
【請求項２３】
前記つまみは、折目線にわたって前記ステッカーブランクを折り曲げることによって形成され、使用前の初期状態の前記つまみの前記つまみ部は、互いに隣接するように折り合わされた状態であり、前記つまみの前記結合部は、互いに向かい合って配置されており、且つ前記結合部の間に配置される１枚の両面カバー層（２１３）によって互いに離隔されており、前記カバー層（２１３）の両側には、前記結合部の前記接着層に取り外し可能に付着した接触層が設けられていることを特徴とする、請求項２２に記載のつまみ。
【請求項２４】
つまみを形成するための、具体的にはつまみを折り曲げるための複数のステッカーブランクを含むステッカーロールであって、各ステッカーブランクは、底面に接着層が設けられている表層を有し、前記ステッカーロールは、初めステッカーブランクの前記接着層をカバーしておくための取り外し可能なカバー層を有し、各ステッカーブランクは、可動物、特に便座組立体に前記つまみを結合させるための少なくとも１つの結合部と、握り手を形成するための少なくとも１つのつまみ部と、を有することを特徴とするステッカーロール。
【請求項２５】
請求項１から２４の何れか一項に記載のステッカーブランク、特に異なる少なくとも２種類のステッカーブランクを含む、また特には脱脂剤等の洗剤、洗浄用ふきん、又は洗浄用スポンジを含む、洗浄セット。
【請求項２６】
請求項１から２５の何れか一項に記載の少なくとも１つのトイレ用つまみと、特に少なくとも１つのトイレ用クリーナーと、が入ったパッケージを含むトイレ洗浄セットであることを特徴とする、請求項２５に記載の洗浄セット。
【考案の詳細な説明】
【技術分野】
【０００１】
本考案はつまみ（ｈａｎｄｌｅ）に関し、特に、便座等の可動物に固定可能であるトイレ用つまみ等の衛生用つまみ（ｈｙｇｉｅｎｉｃ  ｈａｎｄｌｅ）に関するものである。
【背景技術】
【０００２】
トイレ用つまみは、特許文献１から公知である。トイレ用つまみは、便座組立体の便座上に取り付けられ得る。便座には、便器上で便座を支持するための便座緩衝部が設けられている。トイレ用つまみを取り付けるために、まず便座緩衝部が取り外され、取り外された便座緩衝部の代わりにトイレ用つまみが配置される。トイレ用つまみは、結合部及びつまみ部から構成される。結合部の両面には接着層が設けられている。トイレ用つまみを所定の位置に配置後、トイレ用つまみが便座と便座緩衝部との間に固定されるように、便座緩衝部が再装着される。トイレ用つまみの接着層は、便座緩衝部及び便座に付着する。トイレ用つまみのつまみ部は、便座の周縁を超えて外側へ延在する。つまみ部を堅く把持することにより、使用者は便座を上げ下ろしすることができる。
【０００３】
公知のトイレ用つまみの１つの欠点は、トイレ用つまみが使用するのに不便である点である。具体的には、トイレ用つまみを所定の位置に設置するために便座緩衝部を取り外すのは面倒であり、不満を抱かせるものである。同時に、トイレ用つまみが堅く固定されなければならない。便座を動かす際、加えられる力は、トイレ用つまみが不必要に外れてしまう危険性があるほどに大きい。
【０００４】
単純なデザインであるにもかかわらず、公知のトイレ用つまみの欠点は、それでもなおトイレ用つまみを製造するのに比較的費用がかかる点である。人々はトイレ用つまみが使い捨て製品であると考えているため、購入価格を最小限に抑えることが望ましい。
【先行技術文献】
【特許文献】
【０００５】
【特許文献１】ＤＥ２９６０６５４２
【考案の概要】
【考案が解決しようとする課題】
【０００６】
本考案は、上述の欠点の少なくとも１つを、少なくとも部分的に解消すること、又は利用可能な代替手段を提供することを目的とする。特に、本考案は安価なトイレ用つまみを提供することを目的とする。より具体的には、本考案は、便座組立体又は便蓋に容易に且つ堅く固定可能なトイレ用つまみを提供することを目的とする。
【課題を解決するための手段】
【０００７】
この目的は、請求項１に規定されたつまみを形成するためのステッカーブランクを用いることで達成される。
【０００８】
本考案によれば、つまみ、特にトイレ用つまみを形成するためにステッカーブランクが提供される。ステッカーブランクは、底面に接着層が設けられた表層を有する。接着層によって、ステッカーブランクは対象物に取り付けられ得る。接着層、特にグルー層は、初め接着層をカバーしておくための取り外し可能なカバー層を有する。使用するために、カバー層は、その後つまみを取り付けるために、手で取り外し可能である。ステッカーブランクは、つまみを可動物、特に便座組立体に取り付けるための少なくとも１つの結合部を有する。さらに、ステッカーブランクは、握り手を提供するためのつまみ部を有する。
【０００９】
有利には、ステッカーブランクから形成可能なつまみが設けられている。結果として、つまみは安価に作られ得る。ステッカーブランクがコスト面で有利に得られるように、ステッカーブランクはステッカーシートから型に合わせて打ち抜かれ得る（ｓｔａｍｐｅｄ  ｏｕｔ）。使用するために、ステッカーブランクは折り曲げられてつまみとされ得る。
【００１０】
有利には、つまみは、単に接着層の接着力を通じて対象物に貼付され得る。製品の分解、例えば便座緩衝部の取り外しは、必ずしも必要ではない。
【００１１】
有利には、つまみのつまみ部は、使用中ほとんど又は全く障害にならないように、可撓性である。つまみをトイレ用つまみとして便座に固定して使用する際、使用者の衣服が可撓性つまみの後ろ側に簡単に引っかかってしまうことにはならない。つまみの結合部は、有利には平坦且つ薄く作られ得る。結合部が対象物に固定されたときに結合部が障害を形成せずに済むように、結合部の厚さは最大１ｍｍ、特には最大０．２５ｍｍとすることができるが、好ましくは最大０．１５ｍｍとすることができる。薄く平坦な結合部は、例えば、トイレの使用者にとって不便な結合部の存在なしに、便座の座面に固定可能である。また、薄く平坦な結合部は、清掃活動中に障害を形成せずに済む。対象物及びつまみは、ふきんでつまみを取り外すことにより、簡単に掃除され得る。
【００１２】
本考案に係るステッカーブランクの一実施形態において、つまみは一部分で（ｉｎ  ｏｎｅ  ｐａｒｔ）作られる。つまみは１枚のステッカーブランクから形成される。特に、つまみは折り曲げることにより形成される。好ましくは、つまみはプラスチックフィルムを含む。ステッカーブランクの表層は、有利にはプラスチック製である。ステッカーブランクの表層は、好ましくは一切紙を含まない。有利には、プラスチックフィルムによってつまみの強度が向上し、つまみは耐水性（ｌｉｑｕｉｄ−ｒｅｓｉｓｔａｎｔ）である。加えて、紙を含むつまみと対照的に、使用中つまみが衛生的であるように、プラスチックフィルムは微生物不浸透性とすることができる。
【００１３】
本考案に係るステッカーブランクの一実施形態において、ステッカーブランクは層状材料を含む。ステッカーブランクは、少なくとも３層から成り得る。表層は被覆されて、多層、例えば２層を備え得る。表層は上部保護層を形成する抗菌性フィルムを含み得る。表層はフィルムを支持するための支持層を含み得る。フィルムは、第１接着層、即ちグルー層又は粘性ゴム層によって、例えば紙製又はプラスチック製の支持層に貼付され得る。支持層の底面には、第２接着層、即ちグルー層又は粘性ゴム層が設けられている。加えて、ステッカーブランクは、シリコーン層又はＰＥ層が少なくとも上面に設けられているカバー層、即ち地紙（ｂａｃｋｉｎｇ  ｐａｐｅｒ）を有する。使用するためにカバー層を引き剥がすのをより容易にするため、カバー層の底面には、表層を越えて突出するリップが設けられ得る。
【００１４】
本考案に係るステッカーブランクの一実施形態において、ステッカーブランクは細長形状であり、ステッカーブランクは、ステッカーブランクの２端に位置する２つの結合部を含む。ステッカーブランクは、中央位置領域に位置する少なくとも１つのつまみ部を含む。つまみ部は、２つの結合部の間に位置する。２つの結合部と１つの中央に位置するつまみ部とがあることにより、つまみ部の両側の２つの結合部はより効率的に表面に結合され得る。このようにして、つまみを引っ張る際に結合部を引き剥がす力がなくなるため、有利には、つまみはより堅く表面に固定され得る。有利には、二重の接着（ｄｏｕｂｌｅ  ａｄｈｅｓｉｖｅ）によってつまみがより強固に対象物に結合され、つまみが対象物から疑いなく（ｕｎｄｅｎｉａｂｌｙ）滑り落ちる危険性又は外れる危険性が低減される。２つの結合部があることにより、つまみは対象物の両面に固定され得る。例えば、トイレ用つまみとしてのつまみは、便座又は便蓋の上面及び底面の両方に固定され得る。結果として、結合部の対を有するトイレ用つまみは、有利には、単一の結合部で固定する場合と比べてより堅く固定される。
【００１５】
本考案に係るステッカーブランクの一実施形態において、ステッカーブランクの表層は、形成されるつまみがトイレ用つまみ及び／又はキャビネット扉用つまみとしての使用に適するように、厚さが少なくとも０．１５ｍｍ、特には少なくとも０．２ｍｍ、とりわけ少なくとも０．３ｍｍである。その結果、トイレ用つまみは便座及び／又は便蓋を操作するのに十分強固である。
【００１６】
本考案に係るステッカーブランクの一実施形態において、ステッカーブランクは、折り曲げ方向にステッカーブランクを折り曲げるための少なくとも１本の折目線を含む。ステッカーブランクを折り曲げることにより、ステッカーブランクの一部が折り重ねられる（ｄｏｕｂｌｅｄ）結果、補強された部分を得ることができる。ステッカーブランクの補強部分はつまみ部として機能するのに適している。
【００１７】
本考案に係るステッカーブランクの一実施形態において、折目線がステッカーブランクの中央位置領域に位置する。ステッカーブランクは折目線にわたって折り重ねられ得る。ステッカーブランクを折り畳むことにより、互いに反対側に位置する２つの結合部は互いに接触することになる。好ましくは、カバー層、特に両面カバー層、即ち両面地紙が、互いに向かい合う２つの結合部の間に設けられる。特定の実施形態においては、折り畳まれた状態（ｄｏｕｂｌｅ−ｆｏｌｄｅｄ  ｓｔａｔｅ）における第１結合部は、間に介在するカバー層なしに、すぐ第２結合部に隣接してもよい。この折り畳まれた状態が、納品用の中間状態（ｉｎｔｅｒｍｅｄｉａｔｅ  ｓｔａｔｅ）である。従って、結合部の接着層は互いに直接接触する位置にある。結合部は、ステッカーブランクで作ったつまみを対象物上に設置するために、使用者によって互いに引き離され得る。従って、本実施形態において、一方の結合部は他方の結合部のカバー層の役割をする。好ましくは、この場合の結合部の一方には、２つの結合部が容易に互いに引き離され得るように、引き剥がしリップが設けられる。
【００１８】
本考案に係るステッカーブランクの一実施形態において、ステッカーブランクは、ステッカーブランクの中央位置領域に位置する２つのつまみ部を有する。２つのつまみ部は、折目線によって互いに接続されている。特に、ステッカーブランクは、ステッカーブランクのつまみ部を折り畳むための、中央に位置する折目線を有する。この折目線は印の付された線であってもよく、及び／又は事前に折り曲げられたスコア線、クリース、若しくはスタンプ線であってもよい。２つのつまみ部は、共に堅固なつまみを形成するために、折目線にわたって折り合わされ得る。
【００１９】
本考案に係るステッカーブランクの一実施形態において、ステッカーブランクの少なくとも１つのつまみ部は、硬化層（ｓｔｉｆｆｅｎｅｄ  ｌａｙｅｒ）で硬化される（ｓｔｉｆｆｅｎｅｄ）。つまみ部は、硬化層で被覆され得る。硬化層は、つまみ部の切抜きを覆うカバープレートとすることができる。ステッカーブランクからつまみを形成する間、つまみ部は、２つのつまみ部の間に硬化層を付与することにより、硬化され得る。硬化層は、例えばプラスチック製、紙製、厚紙製等とされる。ステッカーブランクから作られたつまみは、中間状態で使用者に供給され得る。この中間状態において、つまみ部は既に互いに結合されているが、つまみの結合部にはカバー層も設けられている。中間状態のつまみ部には、硬化層が設けられ得る。代替的な実施形態において、硬化層はスリーブ状にすることができ、つまみの中間状態においてスリーブ状硬化層はつまみ部を覆うように付与される。さらに、硬化層は広告メッセージを付与するのに有用であり得る。
【００２０】
本考案に係るステッカーブランクの一実施形態において、ステッカーブランクは細長形状である。ステッカーブランクの長さは、その幅よりも比較的長い。特には、ステッカーブランクの長さは、ステッカーブランクの幅に比べて少なくとも５倍長い。ステッカーブランクは、長手方向に延在する長手方向軸を有する。ステッカーブランクは、長手方向軸に対して横方向に延在する少なくとも１本の折目線を有する。特には、ステッカーブランクは長手方向軸の周りで左右対称になるように作られる。とりわけ、ステッカーブランクは、中央に位置する横軸の周りで左右対称になるように作られる。
【００２１】
本考案に係るステッカーブランクの一実施形態において、ステッカーブランクは、結合部とつまみ部との間に位置する移行部折目線を有する。移行部折目線は、つまみ部の結合部との境界線を形成する。ステッカーブランクは、移行部折目線にわたって、折目線とは反対の方向に折り曲げられる。ステッカーブランクを折目線にわたって折り曲げた後、ステッカーブランクは、つまみを中間ポジション（ｉｎｔｅｒｍｅｄｉａｔｅ  ｐｏｓｉｔｉｏｎ）へ移行させるために、移行部折目線にわたって折り曲げられ得る。
【００２２】
本考案に係るステッカーブランクの一実施形態において、ステッカーブランクは、結合部とつまみ部との間の移行部領域にテーパ部も有する。つまみ部を折り合わせ且つ貼り合わせることによって握り手を形成する際、使用中に生じる引張力がつまみ部を引き剥がしてしまう危険性を低減するように、移行部折目線及びテーパは、有利には、握り手から結合部への移行部を明確に形成する。
【００２３】
本考案に係るステッカーブランクの一実施形態において、移行部折目線は少なくとも１つのスリットを有する。スリットは、移行部折目線にわたって部分的に延在する。好ましくは、スリットは、結合部がつまみ部に外周部のみで接続されるように、移行部折目線の中心領域に位置する。好ましくは、ステッカーブランクの結合部は、移行部折目線にわたって、最大長さ３ｍｍにわたって外周部でつまみ部に接続される。スリットは、ミシン線として形成され得る。スリットは、スタンピング工程（ｓｔａｍｐｉｎｇ  ｐｒｏｃｅｓｓ）によって付与され得る。具体的には、つまみが比較的厚いステッカーブランクから形成される場合、スリットによってステッカーブランクの折り畳みに要する力が低減される。さらなる利点は、所定の使用期限に達した後は、つまみ部が結合部から破れて外れるように、スリットを構成可能であるということである。このようにして、衛生上の要請の点で、つまみが過度に長期間使用されるのを防ぐことが可能であり、汚染の危険性を低減することができる。移行部折目線の大部分にわたる比較的大きなスリットでは使用期間がより短くなる一方、移行部折目線の小さな部分にわたる比較的小さなスリットでは使用期間がより長くなる。
【００２４】
本考案に係るステッカーブランクの一実施形態において、つまみ部が親指と人差し指とで掴める把持部を形成するように、つまみ部の最大サイズは１０ｃｍ２である。有利には、つまみ部は、親指と人差し指とで掴める程度に大きく、例えば便座上において障害にならない程度に小さい。好ましくは、つまみ部の幅は、つまみ部から結合部への移行部のレベルにおいて少なくとも１５ｍｍ、特には少なくとも２０ｍｍである。有利には、広い移行部によって、便座組立体又はキャビネット扉を操作する等、比較的重い対象物を取り扱うのに十分な強度が得られる。
【００２５】
本考案に係るステッカーブランクの一実施形態において、結合部は切抜きを有する。結合部が変則的な基体（ｉｒｒｅｇｕｌａｒ  ｓｕｂｓｔｒａｔｅ）により堅く付着するように、結合部は切抜きを有する。物質の変則部は結合部の切抜きに収容され得る。
【００２６】
本考案に係るステッカーブランクの一実施形態において、つまみ部は切抜きを有する。つまみ部の切抜きにより、つまみ部に追加アイテムを組み入れることが可能になる。追加アイテムとは、例えばセンサー、表示器、又は音源、香気源、若しくは光源等である。
【００２７】
本考案に係るステッカーブランクの一実施形態において、ステッカーブランクは回転対称性を有する。ステッカーブランクの輪郭は回転対称性を有する。
【００２８】
本考案に係るステッカーブランクの一実施形態において、ステッカーブランクは抗菌性材料を含む。ステッカーブランクの表層は抗菌性材料を含み得る。抗菌性材料はステッカーブランクの表層に組み込まれ得る。抗菌作用は、別の原料を使用することにより実現され得る。Ｍｉｃｒｏｂａｎ技術が表層に組み込まれ得る。Ｍｉｃｒｏｂａｎは、抗菌性材料に組み入れられ得る技術である。好ましくは、ステッカーブランクの表層は、ＩＳＯ２２１９６：２００７に係る抗菌性材料の基準を満たすものである。特に、ステッカーブランクは殺菌性物質を含む。特に、抗菌性材料は微生物に対抗するのに適しており、特にＭＲＳＡバクテリア、大腸菌、又は黄色ブドウ球菌等に対抗するのに適している。
【００２９】
本考案に係るステッカーブランクの一実施形態において、ステッカーブランクは、フィルムを有する表層を含む。ステッカーブランクは、抗菌性コーティング又は抗菌性フィルム、特にＳＩＧＭＡＧｒａＦ（登録商標）  Ｓｈｉｅｌｄ  ＡＭ、Ｆｏｉｌ−Ｃｏａｔ  ＡＭ、Ｈｅｘｉｓ抗菌性フィルム、Ｍｉｃｒｏｂａｎ付Ａｕｔｏｔｅｘ  ＡＭ、又はＭａｃ  Ｄｅｒｍｉｄオートタイプ等を有する表層を含み得る。フィルムは、好ましくは抗菌性材料を含む。ステッカーブランクの表層、特にフィルムは、好ましくは、ステッカーブランクが通常の方法で洗浄可能なように、衛生的環境を清掃するのに通常用いられる溶剤及び化学品に対する耐性を有する。好ましくは、ステッカーブランクの表層、特にフィルムは、フィルムが衛生的環境において通常用いられるようなスクラバを用いて洗浄可能なように、機械的耐性を有する。Ｍａｃ  ＤｅｒｍｉｄオートタイプＳＩＧＭＡＧｒａＦ（登録商標）  Ｓｈｉｅｌｄ  ＡＭは、Ｍｉｃｒｏｂａｎを含有する特有の層組成を有する、自己粘着性の丈夫なフィルムである。微生物の幅広い選択の成長が保証され得、ほぼ１００パーセントの程度まで永久的に妨げられ得る。抗菌性材料により、ステッカーブランクは、使用中の衛生状態を増進するように、衛生用つまみの形成に適したものとなる。
【００３０】
本考案に係るステッカーブランクの一実施形態において、ステッカーブランクは蛍光材料の表層を含む。有利には、ステッカーブランクから作られたつまみは、暗環境での使用中に発光し得る。従って、ステッカーブランクから作られたつまみは、有利には照明スイッチへの応用に適している。
【００３１】
本考案に係るステッカーブランクの一実施形態において、トイレ用つまみの表層は、その上面に情報媒体を有し得る。情報媒体は、例えば広告メッセージを有する。表層には画像が設けられてもよい。表層は、情報媒体を有するフィルム層を有し得る。表層には、例えば商品名や商用ロゴ等の広告メッセージが設けられ得る。トイレ用つまみは子供向けの画像を含み得る。トイレ用つまみは、例えば、ボブとはたらくブーブーズ（Ｂｏｂ  ｔｈｅ  Ｂｕｉｌｄｅｒ）、スポンジ・ボブ（ＳｐｏｎｇｅＢｏｂ）、ボボ（Ｂｏｂｏ）、ドラ（Ｄｏｒａ）、Ｂｕｕｒｍａｎ＆Ｂｕｕｒｍａｎ、Ｋ３等の画像が付された子供用製品の特別ラインの一部としてデザインされ得る。有利には、子供は、このようにしてトイレ用つまみを使うように促され得る。従って、トイレ用つまみは、学校、育児施設、屋内遊技場、スイミングプール、キャンプ場、パンケーキ屋やマクドナルド等の子供向け飲食店といった子供向け施設での使用に特に適している。
【００３２】
本考案に係るステッカーブランクの一実施形態において、ステッカーブランクの表層は底面を有し、底面の周縁部は接着層が付与されていない。底面のうち接着層が付与されていない部分は、引き剥がしリップを形成する。グルー層は、引き剥がしリップの底面には設けられていない。その結果、引き剥がしリップは対象物に付着せず、使用者がその後引き剥がすためにつまみを掴むことができるスペースが提供される。この引き剥がしリップを用いることで、貼付されたつまみは、必要であれば再度対象物から引き剥がされ得る。特定の実施形態において、引き剥がしリップは、使用者が引き剥がしリップをよりうまく掴めるように、粗い表面を有する。この表面は、グローブ着用中の人でも引き剥がしリップを使える程度に粗いものである。
【００３３】
本考案に係るステッカーブランクの一実施形態において、ステッカーブランクはカバー層を有し得る。カバー層には粗い表面が設けられ、この粗い表面によって、つまみを設置するためにカバー層を引き剥がすにあたり、使用者がよりうまく掴むことが可能になる。この粗い表面は、グローブ着用中に使用者がカバー層を取り外せるように設計され得る。
【００３４】
本考案に係るステッカーブランクの一実施形態において、ステッカーブランクは１枚の両面カバー層を含む。両面カバー層は、接着層に隣接する接触層として形成される底面及び上面を有する。接触層は、カバー層が接着層に着脱可能に付着するように、例えばシリコーンを含む。つまみを折り合わせた状態においては、１枚のカバー層がつまみの２つの結合部の間に位置する。つまみを折り合わせた状態は、使用のための開始ポジションを形成する。使用者は、つまみの第１結合部が対象物の表面への貼付に直ちに利用可能となるように、折り曲げられたつまみを開くことができる。次いで、第２結合部を対象物に貼付できるようにするため、カバー層が取り外され得る。単一のカバー層を有するつまみは、有利には、第１結合部及び第２結合部をカバーするために、速やかに貼付され得る。
【００３５】
本考案に係るステッカーブランクのさらなる実施形態において、カバー層は、結合部の外輪郭を越えて突出するリップ部を有する。突出するリップ部により、ステッカーブランクを折り合わせた状態から引き開くのがより容易になる。
【００３６】
本考案に係るステッカーブランクの一実施形態において、カバー層には情報媒体が設けられている。カバー層には、例えば画像又は広告メッセージが設けられ得る。
【００３７】
本考案に係るステッカーブランクの一実施形態において、ステッカーブランクは、水晶、宝石、及び／又はラインストーン等の高級品を含む。これらの高級品は、ステッカーブランクの表層に取り付けられ得る。これらの高級品は、つまみ部又は結合部上に位置し得る。表層には、金、銀、又は銅のカバー層といった高級な輝きのカバー層が設けられ得る。このように、ステッカーブランクは高級な輝きを有し得る。
【００３８】
加えて、本考案は、ステッカーブランクから作られたつまみに関する。一実施形態において、つまみは、ステッカーブランクからつまみを作るための案内に用いる説示（ｉｎｓｔｒｕｃｔｉｏｎ）を含む。説示は、中央に位置する折目線にわたってステッカーブランクを折り曲げる段階を含む。説示は、カバー層を取り外す段階を含む。説示は、ステッカーブランクの第１結合部を対象物に貼付する段階を含む。特には、説示は、ステッカーブランクの第２結合部を対象物に貼付する段階を含む。
【００３９】
さらに、本考案は、つまみを形成するためのステッカーブランクのセット（ｐａｃｋｅｔ）に関する。ステッカーブランクは、便座組立体又はキャビネット扉等の比較的重い可動物を取り扱うためのつまみを形成するのに適した大きさで作られ得る。これらの比較的重い対象物は、少なくとも５Ｎ、特には少なくとも１０Ｎの操作力を要することがある。
【００４０】
ステッカーブランクは、ポーチ内又はロール上にパッケージングされ得る。本考案は、特に本考案に係るステッカーブランクを含むステッカーロールに関する。特に、上記のセットは、様々な状況に応じたつまみの代替的な実施形態を与えるために、様々なつまみを形成するための様々な特性の、特に様々な大きさのステッカーブランクを含む。
【００４１】
特に、本考案は、セットに洗剤も含まれるステッカーブランクのセットに関する。洗剤は、例えば脱脂剤、洗浄用ふきん、洗浄用スポンジ等である。特に、本考案は洗浄セット、特にトイレ洗浄セットに関する。
【００４２】
加えて、本考案は、つまみ、特に衛生的なトイレ用つまみ等の衛生用つまみを、対象物、特に便座組立体に提供する方法に関する。本方法において、つまみはステッカーブランクから作られる。
【００４３】
本方法は、本考案に係るつまみであって結合部及びつまみ部を含むつまみを製造する工程を備えるステップを含む。本方法は、つまみの結合部からカバー層を取り外すステップを含む。本方法は、結合部を可動物に結合させるステップを含む。
【００４４】
本考案に係る方法の一実施形態において、本方法は、折目線を有するステッカーブランクを備え、折目線にわたってステッカーブランクを折り曲げるステップをも含む。
【００４５】
本考案に係る方法の一実施形態において、結合部は、対象物の外周縁近傍で対象物に結合される。特に、つまみ部が対象物の周縁の外側に位置するような態様でなされる。
【００４６】
本考案に係る方法の一実施形態において、つまみは第１結合部及び第２結合部を備える。本方法の１つのステップにおいて、第１結合部は対象物の上面に結合され得、第２結合部は対象物、例えば便座又は便蓋の下面に結合され得る。本方法の１つのステップにおいて、つまみ部両側の第１結合部及び第２結合部は、つまみ部により形成される面に対して実質的に垂直に延在する対象物の表面に結合されてもよい。取り付けられた後、つまみ部は第１結合部及び第２結合部に対して中央に位置する。引張力がつまみ部に加えられると、引張力は結合部に伝わることになる。伝わった引張力によって、結合部と対象物との間の接触面におけるせん断力が確実に生じる。このようにして、有利には、つまみと対象物との間の堅い結合が得られる。
【００４７】
加えて、本考案は、便座組立体等の比較的重い可動物を動かすためのつまみを形成するためにステッカーブランクを使用することに関する。特に、本考案は、衛生的環境において衛生用つまみを形成するためにステッカーブランクを使用することに関する。特に、本考案は、公衆トイレ又は病院等の公共衛生的環境において、衛生用つまみを形成するためにステッカーブランクを使用することに関する。衛生用つまみは、例えば、便座組立体、衛生的な家具部品、衛生的な引き出し、キャビネット扉等に固定可能である。
【００４８】
本考案に係るさらなる実施形態及び態様は従属請求項に含まれ、添付の図面に基づいて説明される。
【００４９】
本考案は、添付の図面に基づいてさらに詳細に説明される。図面は、本考案の実際的な実施形態を形成するが、限定するものと見なされるべきではない。トイレ用つまみを形成する典型的な実施形態は、本考案を限定するものとして解釈されるべきではない。本考案は、普遍的な用途のつまみであって、ステッカーブランクから形成可能なつまみを指向するものである。詳細な具体的特徴も、典型的な実施形態から独立して、本考案の特徴として一般的に考えることができる。
【図面の簡単な説明】
【００５０】
【図１Ａ】本考案に係るトイレ用つまみを有する便座組立体の斜視図を示す。
【図１Ｂ】トイレ用つまみの便蓋への固定の詳細図を示す。
【図１Ｃ】第１トイレ用つまみの便蓋への固定及び第２トイレ用つまみの便座への固定の詳細図を示す。
【図２Ａ】つまみ、特にトイレ用つまみを形成するための、開配置における本考案に係るステッカーブランクの斜視図を示す。
【図２Ｂ】使用のための中間状態における本考案に係るステッカーブランクの斜視図を示す。
【図３Ａ】本考案に係るステッカーブランクを上面図にて示す。ステッカーブランクは左右対称であり、２つの結合部及び２つのつまみ部を有する。
【図３Ｂ】図３Ａのステッカーブランクの底面図を示す。
【図３Ｃ】ステッカーブランクの上面図を示す。ステッカーブランクはミシン目状の折目線を有する。
【図３Ｄ】ステッカーブランクの上面図を示す。ステッカーブランクは少なくとも１つの切抜きを含む。
【図３Ｅ】衛生的な対象物の平坦な底面に貼付するためのつまみを形成するためのステッカーブランクの上面図を示す。
【図３Ｆ】折り合わせた状態における図３Ｅのステッカーブランクの上面図を示す。
【図３Ｇ】図３Ｄに示すようにトイレ用つまみに組み入れることが可能なアイテムの斜視図を示す。
【図３Ｈ】つまみを形成するためのステッカーブランクの代替的な実施形態の上面図を示す。
【図３Ｉ】図３Ｈに係る実施形態の変形例の上面図を示す。
【図３Ｊ】拡大（ｅｎｌａｒｇｅｄ）結合部を有するステッカーブランクの上面図を示す。
【図３Ｋ】異なる３つの寸法のトイレ用つまみを示す。
【図４】中間ポジションにおけるつまみを形成するための折り曲げられたステッカーブランクを示す。
【図５Ａ】ステッカーブランクからつまみを得るための逐次的な折り曲げ動作を示す。
【図５Ｂ】ステッカーブランクからつまみを得るための逐次的な折り曲げ動作を示す。
【図５Ｃ】ステッカーブランクからつまみを得るための逐次的な折り曲げ動作を示す。
【図５Ｄ】ステッカーブランクからつまみを得るための逐次的な折り曲げ動作を示す。
【図５Ｅ】ステッカーブランクからつまみを得るための逐次的な折り曲げ動作を示す。
【図５Ｆ】ステッカーブランクからつまみを得るための逐次的な折り曲げ動作を示す。
【考案を実施するための形態】
【００５１】
図面において、同一の参照番号は同一又は類似の部分に対して用いられた。
【００５２】
図１Ａは、便座組立体１０を斜視図にて示す。このような便座組立体１０は一般に良く知られている。便座組立体１０は便座１１及び便蓋１２を有する。便蓋は便座にヒンジで接続されている。便座は、後方で便蓋にヒンジで接続されている。便座組立体は開位置にて示されている。便蓋が下方に移動し、便座上に支持されると、便座組立体は閉位置となる。
【００５３】
便蓋は、便座に対して持ち上げられた状態で示されている。便蓋１２は平坦である。便蓋は、底面１２Ａ及び上面を有する。便蓋は、外側に位置する便蓋周縁１２１を有する。
【００５４】
便座１１は、上面１１Ａ及び下面１１Ｂを有する。上面は、便座組立体に座る人のための座面として機能する。便座１１は、中央に位置する便座開口部を少なくとも部分的にブロックする、外側に位置する便座周縁１１１を有する。図示されるように、便座周縁１１１は、中央に位置する便座部分を完全にブロックできる。便座の代替的な実施形態において、便座周縁の前方領域は開いていてもよい。前方領域において、便座組立体１０は自由にアクセス可能（ａｃｃｅｓｓｉｂｌｅ）であり、便座は人に腰掛けを提供する。
【００５５】
便座１１及び便蓋１２にはそれぞれトイレ用つまみ２００が設けられている。便蓋１２は、便座１１から独立して操作可能である。トイレ用つまみ２００は、便座１１又は便蓋１２の外周縁１１１、１２１上に位置する。トイレ用つまみ２００は、便座又は便蓋の比較的滑らかな部分、即ち滑面に付着する固定部、特に結合部２０１を有する。有利には、トイレ用つまみ２００は２つの結合部２０１を有する。一方の第１結合部２０１Ａは便蓋１２又は便座１１の上面に固定され、第２結合部２０１Ｂは便蓋１２又は便座１１の底面に固定される。
【００５６】
トイレ用つまみ２００は、便座又は便蓋の周縁１１１、１２１の外側に延在する把持部、特につまみ部２０２を有する。つまみ部２０２は、便蓋、便座、又は便蓋と便座との組み合わせを下側位置から持ち上げ位置まで、又はその逆に動かすために、人の手で掴むことができる。つまみ部は、丸みを帯びた、円形に延在する周縁を有する。つまみ部は実質的に円形である。つまみ部は、使用者が親指と人差し指とでつまみ部を掴めるように、大きさが少なくとも２ｃｍ２、特には少なくとも３ｃｍ２であるつまみ部表面、即ち把持面、特に指で掴む面を有する。好ましくは、つまみ部の大きさは最大１０ｃｍ２、最小５ｃｍ２である。つまみは特にトイレ用つまみとして適している。
【００５７】
トイレ用つまみ２００は平坦である。トイレ用つまみは平坦なステッカーブランクから作られる。ステッカーブランクは、トイレ用つまみ２００を形成するために折り曲げられ得る。ステッカーブランクの厚さは最大１ｍｍ、特には最大０．２５ｍｍ、好ましくは最大０．１５ｍｍである。ステッカーブランクは結合部及びつまみ部を有する。結合部２０１は、つまみ部２０２に続くように位置する。結合部２０１は、便座１１又は便蓋１２の表面に付着するように設計される。便座の上面は常に実質的に滑らかであるため、ステッカーブランクの結合部は便座に良く付着する。
【００５８】
トイレ用つまみのつまみ部は平坦である。トイレ用つまみが折り曲げられていない単純な実施形態において、つまみ部の厚さはトイレ用つまみの結合部と実質的に同じである。トイレ用つまみのより複雑な実施形態においては、ステッカーブランクは、結合部より厚いつまみ部を作るために、少なくとも１回折り重ねられ得る。
【００５９】
ステッカーブランクは被覆材料を含む。ステッカーブランクは層状材料を含む。ステッカーブランクは、底面に接着層、特にグルー層が設けられた表層を有する。表層の底面は、少なくとも部分的に接着層でカバーされている。
【００６０】
初め、トイレ用つまみが位置付けられる前、接着層は、トイレ用つまみによって、地紙とも呼ばれるカバー層２１３でカバーされている。カバー層は、ステッカーブランクから手で取り外され得る。このように、トイレ用つまみのためのステッカーブランクは、表層、接着層、特にグルー層、及び手で取り外し可能なカバー層を有する。
【００６１】
図１Ｂは、図１Ａに示すようなトイレ用つまみ２００の詳細図を示す。トイレ用つまみが便蓋に取り付けられている。便蓋は、便蓋１２が便座１１上で支持されるのを可能にするための便蓋緩衝部１２９を有する。トイレ用つまみ２００は、トイレ用つまみが使用者にとっての人間工学的領域に位置するように、便蓋緩衝部１２９の近傍で便蓋緩衝部１２９に並ぶように取り付けられる。トイレ用つまみ２００は、便蓋の平坦面１２Ａの外輪郭近傍に取り付けられる。トイレ用つまみ２００の結合部は、周縁１２１の近くに取り付けられる。トイレ用つまみ２００の結合部２０１は、便蓋１２の底面１２Ａに取り付けられる。便蓋１２を動かす際、便蓋１２の重量は、トイレ用つまみ２００の底面１２Ａへの固定によって支持され得る。底面１２Ａへ固定する結果、せん断力がグルー結合に加わり、トイレ用つまみ２００と便蓋１２との間で堅い接続が得られる。便蓋の底面１２Ａへの付着に加えて、トイレ用つまみ２００は便蓋１２の上面、即ち上側面１２Ｂにも付着する。図２Ａに示されるように、トイレ用つまみ２００は２つの結合部２０１を有する。第１結合部２０１Ａは便蓋１２の底面１２Ａに固定され、第２結合部２０１Ｂは便蓋の上面１２Ｂに固定される。有利には、トイレ用つまみ２００を便蓋に二重に付着させることにより、堅く固定することができる。同じ固定方法が、トイレ用つまみ２００を便座１１の下面１１Ｂ及び上面１１Ａへ固定するのにも適用される。有利には、このようにして、衛生用つまみは、上面及び下面を有する対象物に堅く固定され得る。
【００６２】
便蓋１２は、湾曲した周縁を有する底面、即ち下側面１２Ａを有する。トイレ用つまみの結合部２０１は、湾曲した表面に取り付けることができるように、可撓性である。結合部２０１は底面１２Ａの湾曲に従う。トイレ用つまみの結合部２０１は長手状に作られる。トイレ用つまみの結合部は楕円形である。トイレ用つまみの結合部は、結合部２０１が少なくとも部分的に外れてしまう危険性を低減するため、また汚れてしまう危険性を低減するため、鋭角を含まない。
【００６３】
図１Ｃは、閉位置の便座組立体１０の詳細な斜視図を示す。閉位置において、便蓋１２は、便座１１の中央に位置する開口がカバーされるように、便座１１上に支持される。便座組立体の便蓋１２及び便座１１の両方に、トイレ用つまみ２００が設けられる。トイレ用つまみ２００のつまみ部２０２は、便座１１及び便蓋１２の外輪郭の外側に延在する。使用者は、便座１１に固定されているトイレ用つまみ２００を掴むことにより、便座１１を便蓋１２と共に持ち上げることができるが、便座１１とは独立して便蓋１２を持ち上げることもできる。このように、下面及び上面へのトイレ用つまみの固定は、便蓋及び便座の総重量を持ち上げるのに十分強固である。
【００６４】
図２Ａは、ステッカーブランクから作られたトイレ用つまみ２００の斜視図を示す。トイレ用つまみ２００が初期ポジションにて示されている。初期ポジションにおいて、ステッカーブランクは、接着層をカバーするカバー層を含む。つまみ部２０２は、まだ互いに結合されていない。初期状態とも呼ばれる開始状態におけるトイレ用つまみ２００は、便座組立体１０へ固定するために提供され得る。トイレ用つまみ２００は長手状である。トイレ用つまみ２００は長手方向に長手方向軸Ｌ−Ｌを有する。トイレ用つまみ２００は上面及び底面を有する。底面には接着層が設けられている。上面には最終層（ｆｉｎｉｓｈｉｎｇ  ｌａｙｅｒ）が設けられている。最終層は例えばコーティングである。最終層は、好ましくは抗菌性材料を含む。最終層は画像を含み得る。トイレ用つまみ２００は２端及び中央位置領域を有する。トイレ用つまみ２００は２つの結合部２０１を有する。結合部２０１はトイレ用つまみ２００の両端に位置する。トイレ用つまみ２００は、２つのつまみ部２０２を有する。第１結合部２０１Ａは、第１移行部折目線２０７Ａを介して第１つまみ部２０２Ａに接続される。第２結合部２０１Ｂは、第２移行部折目線２０７Ｂを介して第２つまみ部２０２Ｂに接続される。第１つまみ部２０２Ａは、中央に位置する折目線２０６を介して第２つまみ部２０２Ｂに接続される。
【００６５】
図２Ｂは、ステッカーブランクから形成されたトイレ用つまみ２００を斜視図にて示す。トイレ用つまみ２００は中間状態にて示されている。中間状態において、第１つまみ部２０２Ａは第２つまみ部２０２Ｂに結合されている。中央に位置する折目線２０６にわたってつまみ部２０２Ａ、２０２Ｂを折り合わせることにより、より堅固なつまみ部２０２が得られる。中間状態において、結合部２０１Ａ、２０１Ｂにはカバー層が設けられている。図１Ａ〜１Ｃに示されるように、つまみ部２０２を形作って中間状態へ移行させた後、カバー層を取り去ることができ、トイレ用つまみ２００を便座組立体１０に貼付することができる。つまみ部２０２は硬化層でさらに硬化され得る。硬化層は、つまみ部が折り合わされる前に、つまみ部２０２Ａ、２０２Ｂの間に付与され得る。硬化層はプラスチック、紙、厚紙を含み得る。
【００６６】
トイレ用つまみ２００の寸法は、トイレ用つまみ２００が多種多様な便座組立体に対しての使用に適するようなものである。トイレ用つまみ２００の寸法は、トイレ用つまみ２００がほとんどどんな便座組立体にも適するようなものである。トイレ用つまみ２００は、長手方向Ｌ−Ｌの長さが少なくとも４０ｍｍ、特には少なくとも５０ｍｍであるが、好ましくは少なくとも５５ｍｍである結合部を有する。結合部の最大長さは、好ましくは８０ｍｍである。特には、結合部２０１Ａ、２０１Ｂは共に同じ長さである。トイレ用つまみ２００は、長手方向Ｌ−Ｌの長さが少なくとも１５ｍｍ、好ましくは少なくとも２０ｍｍであるつまみ部を有する。特には、トイレ用つまみ２００の長さ全体にわたる幅は、少なくとも１５ｍｍ、特には少なくとも２０ｍｍであり、最大４０ｍｍである。好ましくは、トイレ用つまみ２００の長さ全体にわたる幅は、少なくとも２５ｍｍであり、最大３５ｍｍである。
【００６７】
図２Ｂに示されている実施形態は、特に外見上区別されるものである。中間状態におけるステッカーブランクの形状は、ヘリコプター型のトネリコ（ａｓｈ  ｔｒｅｅ）の種の形状に似ている。
【００６８】
図３Ａは、トイレ用つまみ２００を形成するためのステッカーブランクを上面図にて示す。ステッカーブランクがその初期状態にて示されている。ステッカーブランクはステッカーシートから形成され、特には打ち抜かれる（ｓｔａｍｐｅｄ）。ステッカーブランクは一元的な構造の１枚から作られる。ステッカーブランクは長手状であり、中央に位置する長手方向軸Ｌ−Ｌを有する。さらに、ステッカーブランクは、中央に位置する横軸Ｄ−Ｄを有する。ステッカーブランクは長手方向軸Ｌ−Ｌにわたって左右対称である。ステッカーブランクはまた、中央に位置する横軸Ｄ−Ｄにわたって左右対称である。ステッカーブランクは折目線２０６を含む。折目線２０６は印付けられた線、例えば印刷された線又は溝付けされた線とすることができ、平坦であっても、事前に折り曲げられていてもよい。中央に位置する折目線２０６は、中央に位置する横軸Ｄ−Ｄと一致する。さらに、ステッカーブランクは、少なくとも１本の移行部折目線２０７を含む。移行部折目線２０７は、折目線２０６の実施形態と同様に、例えば溝付けされた線のように作られ得る。移行部折目線２０７Ａ、２０７Ｂは横方向に延在し、それぞれ第１結合部２０１Ａと第１つまみ部２０２Ａとの間、又は第２結合部２０１Ｂと第２つまみ部２０２Ｂとの間に位置する。
【００６９】
図３Ｂは、トイレ用つまみ２００を形成するための図３Ａに示されたようなステッカーブランクを底面視にて示す。ステッカーブランクの底面には、少なくとも１枚の接着層が設けられている。結合部２０１Ａ、２０１Ｂは何れも、トイレ用つまみ２００を便座組立体１０へ付着させるための接着層２０５Ａ、２０５Ｂを含む。結合層２０５Ａ、２０５Ｂとも呼ばれる接着層が、結合部の底面の一部に付与される。好ましくは、結合部の底面の一部には、接着層が付与されていない。その結果、トイレ用つまみは、必要に応じて引き剥がし動作によって容易に便座組立体１０から再度取り外され得る。
【００７０】
つまみ部２０２Ａ、２０２Ｂには同様に、第１つまみ部２０２Ａを第２つまみ部２０２Ｂへ付着させるための接着層２０４が設けられている。使用前、接着層は、不必要な早すぎる付着を防止するためのカバー層でカバーされている。
【００７１】
図３Ｃは、図３Ａと同様に、ステッカーブランクの上面図を示す。図示されているステッカーブランクの図示されている実施形態には、ミシン線が設けられている。ミシン線は、線にわたって延在するスリットによって形成される。ミシン線は移行部折目線２０７Ａを形成する。移行部折目線２０７Ａはミシン目２０８Ａを含む。移行部折目線２０７Ｂはミシン目２０８Ｂを含む。折目線２０６にもミシン目を設けることができる。スリットのために、ステッカーブランクは、折目線にわたってよりスムーズに折り曲げ可能である。有利には、折目線にスリットがあることにより、ステッカーブランクをより厚手にすることができる。ミシン目２０８Ｂは、スリッティング又はスタンピングにより形成され得る。結合部とつまみ部との間のミシン目２０８Ａは、衛生室の高度な衛生状態に寄与し得る。ミシン目２０８Ａは、何度かの使用後に、つまみのつまみ部２０２が結合部２０１から破れて外れるように作られ得る。ミシン目２０８Ａの大きさ及び／又は数は、つまみ動作の特定の回数に合わせて、従って推定使用期間に合わせて設計され得る。より短期間又はより長期間使用できるように、それぞれより多くのミシン目又はより少ないミシン目が付与され得る。使用期間で決まるつまみ動作の回数、必要なミシン目の数、及びミシン目の大きさは、経験的に決定され得る。使用期間終了後、つまみ部が剥がれることで、つまみを交換しなければならないことが使用者に即座に明らかとなる。このようにして、衛生室において過度に長期間つまみが使用されるのを防ぐことが可能である。これにより、衛生状態が改善される。
【００７２】
典型的な実施形態（図示せず）において、移行部折目線２０７Ａ、２０７Ｂの少なくとも一方には、移行部折目線の中央領域に少なくとも１つのミシン目が設けられ得る。ここで、移行部折目線のステッカーブランク周縁近傍の領域には、ミシン目が設けられないままである。ミシン目のない領域の長さは、特には少なくとも２ｍｍであり、好ましくは少なくとも３ｍｍである。これは、対象物からつまみを取り外すのに有利である。対象物からつまみを取り外す方法において、つまみ部２０１は親指と人差し指とで堅く掴まれ得る。爪が移行部折目線２０７Ａ上にあてがわれ、その後つまみ部２０１が移行部折目線２０７Ａに隣接する第１結合部２０２Ａから引き離され得る。反対側の第２結合部２０２Ｂと共に引き剥がされたつまみ部２０１は、剥がし動作によって対象物から取り外され得る。つまみ部２０１を引き離す結果として、第１結合部２０２Ａは常に対象物から部分的に外れることとなる。その結果、第１結合部２０２Ａも、剥がし動作によって対象物から容易に取り外され得る。有利には、移行部折目線２０７の中心領域にミシン目が付された衛生用つまみは、迅速且つ容易に対象物から取り外され得る。
【００７３】
図３Ｃはまた、ステッカーブランクの表層を越えて延在するカバー層２１３を示している。表層の底面には、接着層が設けられている。接着層は、ステッカーブランクの第１結合部２０１Ａ及び第２結合部２０１Ｂの少なくとも一部に付与される。接着層は表層の底面全面に取り付けられてもよい。
【００７４】
カバー層２１３は、それぞれが結合部２０１をカバーする、分離した２つのカバー層部分を備え得る。カバー層部分の一方の面には、接着層を保護するための接触層が設けられ得る。しかしながら、有利には、単一の両面カバー層２１３が設けられ、カバー層２１３は、つまみを折り合わせた状態において、その底面及び上面で両結合部を保護する。両面カバー層２１３の大きさは、１つの結合部２０１の大きさと実質的に一致する。単一の両面カバー層２１３は上面及び底面を有し、これらの上面及び底面は、つまみを折り合わせた状態において、２つの結合部の接着層に隣接する。つまみを折り合わせた状態において、両面カバー層２１３は２つの結合部２０１Ａ、２０１Ｂの間に位置する。カバー層２１３のリップ部は、ステッカーブランクを引き開くのをより容易にするために、結合部２０１Ａ、２０１Ｂの外輪郭の外側に延在し得る。カバー層２１３の上面及び底面は接触層を形成し、ステッカーブランクの接着層に取り外し可能に付着するように取り付けられる。カバー層２１３の上面及び底面は、例えばシリコーン又はポリエチレン（ＰＥ）含有紙を含む。カバー層２１３は地紙とも呼ばれる。
【００７５】
図３Ｄは、トイレ用つまみ２００の一実施形態を上面図にて示す。トイレ用つまみ２００は、反対側の結合部２０１Ｂよりも長い結合部２０１Ａを有する。結合部２０１Ａの方が長いことにより、例えば広告メッセージ用のより大きなスペースが得られる。より長い結合部２０１Ａを有するトイレ用つまみ２００は、例えば、より大きな結合部２０１を便蓋の上面１２Ｂを取り付けることができ、便蓋１２への使用により適している。
【００７６】
図３Ｄはまた、トイレ用つまみ２００の実施形態において、トイレ用つまみが少なくとも１つの切抜きを有することを示している。少なくとも１つの切抜き２１０、２１１は、少なくとも１つの結合部及び／又はつまみ部中に収まっている。トイレ用つまみ２００は、切抜き２１１Ａ、２１１Ｂを有する少なくとも１つの結合部２０１Ａ、２０１Ｂを有する。好ましくは、切抜き２１１は結合部２０１上で中央に位置する。切抜き２１１は、トイレ用つまみ２００の長手方向軸Ｌ−Ｌにわたって外側に延在している。少なくとも１つの切抜き２１１は、浮彫りパターンを有する面に結合部を貼付するのに有利である。トイレ用つまみ２００は、少なくとも１つの切抜き２１０Ａ、２１０Ｂを有するつまみ部２０２Ａ、２０２Ｂを有する。
【００７７】
特に、切抜き２１０はつまみ部２０２上で中央に位置する。少なくとも１つの切抜き２１０は、音源、香気源、若しくは光源等の追加アイテム３００を付与するのに有利である。追加アイテムは、切抜き近傍のハンガー（ｈａｎｇｅｒ）から掛けられた装飾であってもよい。切抜き２１０は、つまみ部２０２上の任意の点に位置し得る。例えば、ハンガーは、つまみ部２０２を掴む際に障害が生じないように、縁部近くに配置され得る。追加のハンガーは、装飾、香気カード、ホルダー等の追加アイテムを含み得る。ハンガーは、クレスト、フック、又はクランプ等によって容易に切抜き２１０又はつまみ部２０２に固定され得る。ハンガーは豪華なデザインを有することができ、例えば宝石が設けられ得る。アイテムを追加した後、つまみ部２０２の切抜き２１０はカバープレート３０１でカバーされ得る。カバープレート３０１には、例えばロゴ等の印刷が設けられ得る。トイレ用つまみ２００のつまみ部の切抜き２１０は、追加アイテムを掛けるための連続ギャップを形成し得る。追加アイテムは連続ギャップに固定され得る。追加アイテム３００は、トイレ用つまみ２００のつまみ部への固定を容易にするためのフック付きチェーンを有し得る。
【００７８】
図３Ｇは、トイレ用つまみ２００に設けられ得る別途の追加アイテム３００を示す。アイテム３００はトイレ用つまみ２００の切抜き２１０内に収容され得、又はつまみ部２０２Ａ、２０２Ｂの間に位置し得る。アイテムは平坦であり得る。アイテムは、つまみ部２０２Ａ、２０２Ｂの間に包まれ得る。アイテムは、使用者からの知覚を誘導するために備え付けられている。アイテム３００は、信号、例えば音、香気、光、又は警告信号を発するように備え付けられている。例えばアイテムには、温度、時間、湿度、ＵＶ、張力等といったパラメータを表示するための、音源、香気源、若しくは光源、表示器、及び／又はセンサーが含まれる。アイテムにはマイクロチップが含まれ得る。マイクロチップは、トイレ用つまみが動いたときに音を鳴らすようにセットアップされ得る。マイクロチップは、トイレ用つまみを照らすように設計され得る。マイクロチップは、トイレ用つまみが望む通りに機能していることを示すために、第１色、例えば緑色を発することができ、また、トイレ用つまみの交換が必要であることを示すために、第２色、例えば赤色を発することができる。香気アイテムのようなアイテムには、例えば液体吸収パッド等の香気リザーバー（ｓｃｅｎｔ  ｒｅｓｅｒｖｏｉｒ）が含まれ得る。トイレ用つまみ２００の使用時、香気アイテムが香気を発する。その結果、有利には、使用者は公共の衛生的環境を清々しく感じることになる。
【００７９】
図３Ｅは、ステッカーブランクの代替的な一実施形態を上面図にて示す。本実施形態は、特にキャビネット扉に使用するのに適している。図３Ｅは、つまみを形成するためのステッカーブランクの外形を示す。一方、図３Ｆは、折り合わせた状態における同ステッカーブランクを示す。ステッカーブランクの輪郭は回転対称性を有する。ステッカーブランクは、中央に位置する２つのつまみ部２０２Ａ、２０２Ｂを有する。ステッカーブランクの輪郭は長手状である。その端部において、ステッカーブランクは結合部２０１Ａ、２０１Ｂを有する。結合部２０１Ａ、２０１Ｂはつまみ部２０２Ａ、２０２Ｂに隣接している。図３Ｆに示されるように、つまみ部は、折目線２０６にわたり、互いに向かって折り合わされ得る。折目線２０６は横軸Ｄ−Ｄを形成する。つまみ部が折り合わされる際、結合部２０１Ａ、２０１Ｂは共に移動する。折り合わせた状態の結合部２０１Ａ、２０１Ｂは部分的に重なっている。移行部折目線２０７Ａ、２０７Ｂは、つまみの結合部２０１Ａ、２０１Ｂとつまみ部２０２Ａ、２０２Ｂとの間の分離を形成する。移行部折目線２０７Ａ、２０７Ｂは破断線２０９Ａ、２０９Ｂに変わる。破断線２０９は、移行部折目線から結合部の外周部へ外側に延在する。破断線２０９は、つまみを形成するために使用者によって破断されるように設けられている。ここでは、破断線２０９は破られる。上面図において、折り合わせた状態のつまみは、魅力的な外観である円形の外輪郭を有する。
【００８０】
図３Ｈは、つまみを形成するためのステッカーブランクの代替的な一実施形態の外形の上面図を示す。ステッカーブランクの輪郭は回転対称性を有する。図３Ｅ及び３Ｆのステッカーブランクとは対照的に、ステッカーブランクは破断線２０９なしで形成されている。つまみは、ステッカーブランクを折目線２０６及び移行部折目線２０７Ａ、２０７Ｂにわたって折り曲げることによって形成され得る。移行部折目線２０７Ａ、２０７Ｂには、折り曲げるのを容易にするためのスリットとしてミシン目２０８Ａ、２０８Ｂが設けられている。折り合わされた後、結合部２０１Ａ、２０１Ｂは部分的に重なっている。結合部２０１Ａ、２０１Ｂの重畳部分は、有利には、つまみを取り外すための把持可能な引き剥がしリップを提供する。つまみ部２０２Ａ、２０２Ｂは、別途の接着剤４００で共に結合される。接着剤４００は、つまみ部の接着層に追加されるか、又はつまみ部の接着層の代わりとなる。有利には、接着剤４００により、折り合わせた状態において、つまみ部がさらに硬化され且つさらに厚くなる。ここでは、接着剤４００は、長手形状を有する。長手形状接着剤４００は横方向外側へ延在する。ここでは、接着剤４００は、移行部折目線２０７Ｂに隣接する一方のつまみ部２０２Ｂに付与されている。接着剤４００はまた、折り合わせることによりつまみ部がより厚く形成されるように、且つよりうまく掴むことができるように、折目線２０６に隣接して設けられ得る。
【００８１】
図３Ｉは、図３Ｈに係る実施形態の変形例の外形を上面図にて示す。ステッカーブランクは回転対称性を有する。ステッカーブランクは、破断線２０９Ａ、２０９Ｂを有するように作られる。図３Ｈ及び３Ｉに示されるようなステッカーブランクは、特にキャビネットのつまみに使用するのに適している。
【００８２】
図３Ｊは、つまみを形成するためのステッカーブランクの外形を上面図にて示す。つまみは特に子供用つまみとして適している。つまみは、第１結合部２０１Ａに対して拡大された第２結合部２０１Ｂを有する。結合部２０１Ａは接触面５００を有する。接触面５００の表面積は少なくとも１００ｃｍ２である。拡大結合部は、対象物に対して衛生的に接触するための接触面５００を形成する。拡大結合部には抗菌性材料が設けられ得る。接触面５００は、例えば、その上に手が置ける支持面を形成するように、便座の上面に取り付けられ得る。特に小さな子供については、子供がつまみの衛生的な接触面５００上にその手を置けるのが有利である。つまみ部２０２Ａ、２０２Ｂの表面積は、つまみを折り合わせた状態において、つまみ部をより容易に且つより堅く掴むことができるように、少なくとも５ｃｍ２、特には少なくとも１０ｃｍ２である。これは、高齢者及び子供といった、より指の力が弱い使用者にとって有利であり得る。
【００８３】
図３Ｋは、異なる３つの大きさのステッカーブランクを上面図にて示す。ステッカーブランクの１セット（ｏｎｅ  ｐａｃｋｅｔ）は、少なくとも２種類の大きさのものを、好ましくは３種類の大きさのものを含み得る。好ましくは、３種類の大きさを含むセットは衛生用セットである。大きさが異なる場合、それぞれのケースにおいて、つまみ部は実質的に同じ大きさであるが、結合部は各大きさによって長さが異なっている。つまみ部の幅は約３０ｍｍであり、長さは約２５ｍｍである。最も小さなサイズのステッカーブランク、即ちＳサイズは、長さが約５９ｍｍの結合部を有する。Ｍサイズは、長さが約６９ｍｍの結合部を有する。Ｌサイズは、長さが約７９ｍｍの結合部を有する。有利には、最も大きなＬサイズは便蓋への利用には適しているが、その長さのため、便座に使用するには適さない。Ｍサイズ及びＳサイズは便座に使用するのに適している。Ｍサイズは大型の便座に適しており、一方Ｓサイズは主として最も小型の便座に適している。少なくとも４０ｍｍ、特には少なくとも５０ｍｍの大きさがあれば、便座への十分な付着が得られる。
【００８４】
図４は、つまみのつまみ部が既に互いに結合された、使用前の中間状態における本考案に係るステッカーブランクからのつまみ２００の一実施形態を、斜視図にて示す。つまみ２００は、つまみ部２０２及び結合部２０１を有する。つまみ部２０２は、互いに接着された２つのつまみ部２０２Ａ、２０２Ｂから形成される。つまみ２００はカバー層２１３を有する。カバー層２１３は結合部２０１をカバーしている。ステッカーブランクの中央位置領域において、カバー層２１３は自由な部分を有する。カバー層２１３の自由部は、つまみ部２０２Ａ、２０２Ｂからカバー層２１３を部分的に引き離すことによって得られる。表層２１２の底面をカバーするためのカバー層２１３は、表層２１２から別々に取り外せるように、２枚の別々のカバー層部分を備えてもよい。しかし、ここではカバー層２１３は１枚のものとして作られている。カバー層２１３は単一のアイテムである。カバー層２１３全体が、単一の動作で使用者により表層２１２から取り外され得る。つまみの中間状態において結合部の間に位置するカバー層の自由部は、カバー層２１３の中央領域を折り合わせることにより得られる。中央領域において、カバー層２１３が折目線２１３Ａにわたって折り合わされる。カバー層２１３の自由部は、引き剥がしリップとも呼ばれる、カバー層２１３を引き剥がすためのリップ部２１３Ｂを含む。リップ部２１３Ｂは、カバー層２１３のうち結合部２０１の輪郭を越えて延在する部分である。リップ部２１３Ｂは、表層２１２からカバー層２１３を取り外すのをより容易にするために設けられている。さらに、カバー層２１３、特にリップ部２１３Ｂが情報媒体としての役割を果たすことを可能にするのは有利である。ここでは、リップ部２１３Ｂは、指先でカバー層２１３を掴むのをより容易にする突出部を含む。突出部の形状は滴型とすることができる。リップ部２１３Ｂは、カバー層２１３から単に打ち抜かれ得る。しかしながら、有利には、リップ部は、カバー層の残部に比べて補強されたリップ部を含む。好ましくは、リップ部２１３Ｂは、表層２１２とカバー層２１３との組み合わせから打ち抜かれる。その結果、リップ部２１３Ｂは補強部分を備えることができ、リップ部２１３Ｂによって、表層２１２からカバー層２１３を取り外す際、より把持具合が改善され得る。カバー層２１３の自由部上の点線は、リップ部２１３Ｂがカバー層２１３から取り外し可能であり得ることを示す。点線は、例えばスコア線とすることができる。
【００８５】
図５Ａ〜５Ｆは、ステッカーブランクからつまみを得るための逐次的な折り曲げ動作を示す。図４に示されるような折り曲げられたつまみの中間状態は、図５Ｃに対応する。
【００８６】
長手方向断面の模式図において、図５は、ステッカーブランクを折り曲げてつまみ２００とすることによって形成され得る、本考案に係るステッカーブランクを示す。ステッカーブランクは、その底面にカバー層２１３が設けられている表層２１２を有する。中央位置領域のカバー層２１３は、折り曲げひだ（ｆｏｌｄ  ｐｌｅａｔ）２１３Ａを有する。ひだ２１３Ａは、表層２１２からカバー層２１３を引き離すために、使用者によって指先で掴まれ得る。ステッカーブランクは、第１結合部２０１Ａ及び第２結合部２０１Ｂを有する。さらに、ステッカーブランクは、結合部の間に位置する２つのつまみ部２０２Ａ、２０２Ｂを有する。２つのつまみ部２０２Ａ、２０２Ｂは、折目線２０６によって互いに離隔されている。つまみ部は、移行部折目線２０７によって結合部から離隔されている。
【００８７】
図５Ａ〜５Ｆの各々において、折り曲げ動作の方向を示す矢印が示されている。図５Ａでは、矢印はステッカーブランクの端部に示されており、次の段階で結合部２０１が互いに向かって折り曲げられることを示している。中央領域に示された矢印は、つまみ部２０２も互いに向かって折り曲げられることを示している。
【００８８】
図５Ｂは、図５Ａにおいて矢印で示されたような折り曲げ動作の結果を示す。つまみ部及び結合部は、互いに向かって移動している。ステッカーブランクの中央領域のカバー層２１３は、表層２１２から引き離されている。ステッカーブランクの中央領域において、カバー層２１３は表層２１２に付着していない。ひだ２１３Ａは、カバー層２１３の折目線を形成する。図５Ｂに示されている矢印は、折り曲げ動作の次の段階を示している。内側に位置するつまみ部２０２Ａ、２０２Ｂは、互いにより近付くように動かされている。加えて、カバー層２１３は、表層２１２からさらに引き離されている。図５Ｃは、図５Ｂにおいて示されたような折り曲げ動作の結果を示す。
【００８９】
図５Ｃにおいて、つまみ部２０２Ａ、２０２Ｂは隣接している。カバー層２１３は依然として結合部２０１Ａ、２０１Ｂに結合されている。このようにして、つまみ２００の中間状態が得られる。つまみ２００は、使用者が対象物につまみ２００を簡単に貼付できるように、この中間状態で使用者に納品され得る。
【００９０】
図５Ｄ〜５Ｆにおいて、折り曲げ動作の次の段階が示されている。特に、カバー層２１３の自由部２１３Ｂを引っ張ることにより、カバー層２１３は徐々に表層２１２から遠ざかるように取り外される。カバー層は、このようにして、引っ張り動作によって表層２１２から取り外され得る。カバー層２１３が取り外された後、つまみが対象物に取り付けられ得る。
【００９１】
図５に示されている、カバー層２１３が１枚から作られているステッカーブランクの実施形態以外に、分離した２つのカバー層部分からカバー層２１３を形成することも可能である。カバー層部分はそれぞれ第１結合部及び第２結合部をカバーすることができ、続けて１枚ずつ取り外され得る。２つのカバー層部分から作られたカバー層２１３は、使用中に結合部同士の早すぎる付着を防ぐことが可能であるため、有利である。第１結合部２０１Ａは第１段階において対象物に結合され得る。その後初めて、第２結合部２０１Ｂも対象物に結合され得るように、カバー層部分が第２結合部２０１Ｂから取り外される。このようにして、結合部が互いに付着するのを防ぐことができる。
【００９２】
一方、代替的な実施形態においては、分離したカバー層を省略することができ、ステッカーブランクを折り重ねることによって、２つの結合部が互いに対してカバー層としての役割をも果たすことを可能にすることができる。
【００９３】
図面に示された実施形態に加えて、多数の変更例が考えられる。ステッカーブランクから形成されたつまみが、トイレ用つまみの実施形態で示されている。便蓋及び便座以外に、つまみは、トイレを作動させるための便器の貯水槽上のボタンに貼付されてもよい。ステッカーブランクから作られたつまみは、可動物を操作するため、例えばキャビネット扉、頂部（ｔｏｐ）、スイッチ、押ボタン等を操作するための他の用途に使用されることもできる。特に、ステッカーブランクから形成可能で且つ抗菌性材料を含むつまみは、衛生状態が特に重要である衛生的環境での使用に適している。例えば、つまみは、病院環境、歯科診療、仕出し料理イベント、子供用デイケア、学校等での使用に適している。簡単に且つコスト面で有利に生産できるようにするため、ステッカーブランクから作られたつまみは、使い捨て製品としてそうした用途に適している。表示されている折目線又は移行部折目線は、スコア線、スタンプ線、カットライン等として作られ得る。
【００９４】
トイレ用つまみの典型的な実施形態で図示される具体的な特徴は、他の用途のためのつまみにも使用可能であるため、一般的に際立った特徴として実用新案登録請求の範囲に組み込まれ得る。特に、折目線の配置、滑らかな外輪郭、結合部とつまみ部との間のテーパ付け、親指サイズのつまみ部の把持部といった形状に関する態様は、より普遍的な用途を有するつまみにおいて、ステッカーブランクからつまみを提供するための際立った利点を提供する態様である。
【００９５】
本考案は特定の実施形態を参照して開示されているが、当業者は、考案の詳細な説明を読んだ後、技術的見地から可能である変更又は改造をしようとする可能性がある。しかしながら、断じてこれらが添付の実用新案登録請求の範囲に定められている本考案の保護範囲から外れることはない。開示されている実施形態に関する変更が、それによって本考案の本質を逸脱することなく、本考案の教示の範囲内で行われ得る。当業者は、構成要素が省略され得ること、様々な改造が可能であること、及び本考案の本質を逸脱することなく構成要素が均等物によって置換され得ることを理解しなければならない。従って、本考案は、考案の詳細な説明に含まれる開示された実施形態に限定されるものではなく、実用新案登録請求の範囲に定められている保護範囲内にある全実施形態をカバーするものである。
【００９６】
さらに、本開示に係る主題の非包括的な例示を以下の付記項１〜３２に示す。
［付記項１］
つまみ、特にトイレ用つまみを形成するためのステッカーブランク（２００）であって、
前記ステッカーブランクは、底面に接着層が設けられた表層を有し、前記接着層は初め前記接着層をカバーしておくための取り外し可能なカバー層を有し、
前記ステッカーブランクは、前記つまみを可動物、特に便座組立体に取り付けるための少なくとも１つの結合部（２０１）と、握り手を提供するための少なくとも１つのつまみ部（２０２）と、を有することを特徴とするステッカーブランク（２００）。
［付記項２］
前記ステッカーブランクは細長形状で、前記ステッカーブランクの２端に位置する２つの結合部（２０１Ａ、２０１Ｂ）を有し、前記少なくとも１つのつまみ部（２０２）は前記ステッカーブランクの中央位置領域に位置することを特徴とする、付記項１に記載のステッカーブランク（２００）。
［付記項３］
前記ステッカーブランクは、前記ステッカーブランクの中央位置領域に位置する２つのつまみ部（２０２Ａ、２０２Ｂ）を有し、前記２つのつまみ部は折目線（２０６）で互いに結合されていることを特徴とする、付記項１又は２に記載のステッカーブランク（２００）。
［付記項４］
前記ステッカーブランクは細長形状で、長手方向に長手方向軸Ｌ−Ｌを有し、前記折目線（２０６）が前記長手方向軸Ｌ−Ｌに対して横方向Ｄ−Ｄに延在していることを特徴とする、付記項３に記載のステッカーブランク（２００）。
［付記項５］
前記長手方向軸Ｌ−Ｌの周りで左右対称となるように作られることを特徴とする、付記項４に記載のステッカーブランク（２００）。
［付記項６］
中央に位置する横軸Ｄ−Ｄの周りで左右対称となるように作られることを特徴とする、付記項１から５の何れか一項に記載のステッカーブランク（２００）。
［付記項７］
前記つまみの中間ポジションにおける前記ステッカーブランクは、折目線にわたって折り重ねられ、第１結合部が第２結合部のカバー層を、前記第２結合部が前記第１結合部のカバー層をそれぞれ形成するように、前記第１結合部が、分離した中間カバー層なしに前記第２結合部にすぐ隣接していることを特徴とする、付記項６に記載のステッカーブランク（２００）。
［付記項８］
前記結合部（２０１）と前記つまみ部（２０２）との間に位置する移行部折目線（２０７）を有することを特徴とする、付記項１から７の何れか一項に記載のステッカーブランク（２００）。
［付記項９］
前記移行部折目線（２０７）が少なくとも１つのスリット（２０８）を有することを特徴とする、付記項８に記載のステッカーブランク（２００）。
［付記項１０］
前記少なくとも１つのスリット（２０８）が前記移行部折目線（２０７）の中央領域に位置することを特徴とする、付記項９に記載のステッカーブランク（２００）。
［付記項１１］
前記結合部から前記つまみ部への移行部を形成するテーパ部も有することを特徴とする、付記項１から１０の何れか一項に記載のステッカーブランク（２００）。
［付記項１２］
前記つまみ部が親指と人差し指とで掴める把持部を形成するように、前記つまみ部の大きさが最大１０ｃｍ２であり、特には最小２ｃｍ２であることを特徴とする、付記項１から１１の何れか一項に記載のステッカーブランク（２００）。
［付記項１３］
前記結合部が変則的な基体に結合できるように、前記結合部（２０１）が切抜き（２１１）を有することを特徴とする、付記項１から１２の何れか一項に記載のステッカーブランク（２００）。
［付記項１４］
センサー、表示器、又は音源、香気源、若しくは光源等の追加アイテム（３００）を有することを特徴とする、付記項１から１３の何れか一項に記載のステッカーブランク（２００）。
［付記項１５］
回転対称性を有することを特徴とする、付記項１から１４の何れか一項に記載のステッカーブランク（２００）。
［付記項１６］
プラスチックフィルム製の表層（２１２）を有し、特に抗菌性材料を含むことを特徴とする、付記項１から１５の何れか一項に記載のステッカーブランク（２００）。
［付記項１７］
前記表層が蛍光材料を含むことを特徴とする、付記項１から１６の何れか一項に記載のステッカーブランク（２００）。
［付記項１８］
前記つまみ貼付後に前記つまみを対象物から引き剥がすために引き剥がしリップが形成されるように、前記表層の前記底面の周縁部には接着層が付与されていないことを特徴とする、付記項１から１７の何れか一項に記載のステッカーブランク（２００）。
［付記項１９］
前記引き剥がしリップは、グリップを提供するための粗い表面を有することを特徴とする、付記項１８に記載のステッカーブランク（２００）。
［付記項２０］
前記ステッカーブランクは、前記接着層に隣接するように接触層として形成される底面及び上面を有する１枚の両面カバー層（２１３）を有し、前記１枚のカバー層は、前記つまみが折り合わされた状態において、前記２つの結合部の間に配置され、且つ前記結合部それぞれの前記接着層を前記カバー層（２１３）の底面及び上面で保護することを特徴とする、付記項１から１９の何れか一項に記載のステッカーブランク（２００）。
［付記項２１］
前記カバー層（２１３）のリップ部が、前記ステッカーブランクを引き開くために、前記結合部（２０１Ａ、２０１Ｂ）の外輪郭を越えて延在することを特徴とする、付記項２０に記載のステッカーブランク（２００）。
［付記項２２］
前記ステッカーブランクを折り曲げてつまみとするための案内に用いる説示を特に有することを特徴とする、付記項１から２１の何れか一項に記載のステッカーブランク（２００）から形成可能なつまみ。
［付記項２３］
前記つまみは、折目線にわたって前記ステッカーブランクを折り曲げることによって形成され、使用前の初期状態の前記つまみの前記つまみ部は、互いに隣接するように折り合わされた状態であり、前記つまみの前記結合部は、互いに向かい合って配置されており、且つ前記結合部の間に配置される１枚の両面カバー層（２１３）によって互いに離隔されており、前記カバー層（２１３）の両側には、前記結合部の前記接着層に取り外し可能に付着した接触層が設けられていることを特徴とする、付記項２２に記載のつまみ。
［付記項２４］
つまみを形成するための、具体的にはつまみを折り曲げるための複数のステッカーブランクを含むステッカーロールであって、各ステッカーブランクは、底面に接着層が設けられている表層を有し、前記ステッカーロールは、初めステッカーブランクの前記接着層をカバーしておくための取り外し可能なカバー層を有し、各ステッカーブランクは、可動物、特に便座組立体に前記つまみを結合させるための少なくとも１つの結合部と、握り手を形成するための少なくとも１つのつまみ部と、を有することを特徴とするステッカーロール。
［付記項２５］
付記項１から２４の何れか一項に記載のステッカーブランク、特に異なる少なくとも２種類のステッカーブランクを含む、また特には脱脂剤等の洗剤、洗浄用ふきん、又は洗浄用スポンジを含む、洗浄セット。
［付記項２６］
付記項１から２５の何れか一項に記載の少なくとも１つのトイレ用つまみと、特に少なくとも１つのトイレ用クリーナーと、が入ったパッケージを含むトイレ洗浄セットであることを特徴とする、付記項２５に記載の洗浄セット。
［付記項２７］
対象物、特に便座組立体上に、つまみ、特にトイレ用つまみを設ける方法であって、前記つまみはステッカーブランクで形成され、
前記ステッカーブランクから前記つまみを形成するステップであって、前記つまみは結合部及びつまみ部を有するステップと；
前記つまみの前記結合部からカバー層を取り外すステップと；
前記対象物に前記結合部を結合するステップと、
を備える方法。
［付記項２８］
前記ステッカーブランクが折目線を有し、
前記ステッカーブランクを折目線にわたって折り曲げるステップも含むことを特徴とする、付記項２７に記載の方法。
［付記項２９］
前記つまみが第１結合部及び第２結合部を有し、前記第１結合部が前記対象物の上面に結合され、前記第２結合部が前記対象物の下面に結合されることを特徴とする、付記項２７又は２８に記載の方法。
［付記項３０］
前記つまみが第１結合部及び第２結合部を有し、前記第１結合部及び前記第２結合部が互いに並んで対象物表面に結合されることを特徴とする、付記項２７又は２８に記載の方法。
［付記項３１］
ステッカーブランクから作られた前記つまみが中間状態にあり、結合部をカバーするためにカバー層（２１３）が設けられ、前記カバー層（２１３）は、前記カバー層（２１３）を取り外すためのグリップを形成する非結合部（２１３Ｂ）を有し、前記非結合部（２１３Ｂ）が前記結合部（２０１）の間に位置し且つ前記つまみ部（２０２）に隣接することを特徴とする、付記項２９に記載の方法。
［付記項３２］
衛生的環境における衛生用つまみを形成するための付記項１から２１の何れか一項に記載のステッカーブランクの使用。
【符号の説明】
【００９７】
１０  便座組立体
１１  便座
１１１  便座周縁
１２  便蓋
１２１  便蓋周縁
１２９  便蓋緩衝部
２００  ステッカーブランク、トイレ用つまみ
２０１  結合部
２０１Ａ  第１結合部
２０１Ｂ  第２結合部
２０２  つまみ部
２０２Ａ  第１つまみ部
２０２Ｂ  第２つまみ部
２０４、２０５Ａ、２０５Ｂ  接着層
２０６  折目線
２０７  移行部折目線
２０７Ａ  第１移行部折目線
２０７Ｂ  第２移行部折目線
２０８  スリット、ミシン目
２０９、２０９Ａ、２０９Ｂ  破断線
２１１  切抜き
２１２  表層
２１３  カバー層
２１３Ｂ  自由部、リップ部、非結合部
３００  追加アイテム
３０１  カバープレート
４００  接着剤
５００  接触面
【図１Ａ】
0003206228.tif 000003
【図１Ｂ】
0003206228.tif 000004
【図１Ｃ】
0003206228.tif 000005
【図２Ａ】
0003206228.tif 000006
【図２Ｂ】
0003206228.tif 000007
【図３Ａ】
0003206228.tif 000008
【図３Ｂ】
0003206228.tif 000009
【図３Ｃ】
0003206228.tif 000010
【図３Ｄ．３Ｇ】
0003206228.tif 000011
【図３Ｅ】
0003206228.tif 000012
【図３Ｆ】
0003206228.tif 000013
【図３Ｈ】
0003206228.tif 000014
【図３Ｉ】
0003206228.tif 000015
【図３Ｊ】
0003206228.tif 000016
【図３Ｋ】
0003206228.tif 000017
【図４】
0003206228.tif 000018
【図５Ａ】
0003206228.tif 000019
【図５Ｂ】
0003206228.tif 000020
【図５Ｃ】
0003206228.tif 000021
【図５Ｄ】
0003206228.tif 000022
【図５Ｅ】
0003206228.tif 000023
【図５Ｆ】
0003206228.tif 000024